(57)【要約】【課題】高彩度タイプ及び高輝度タイプの両立を可能とするプロジェクタを提供する。【解決手段】プロジェクタ２は、プロジェクタ２であって、所定の色の照明光を射出する複数の照明用光源１８であって、少なくともひとつの色の照明用光源１８ｇは複数の光源ユニット１８ｇＣ，１８ｇＬを有する、照明用光源１８と、複数の光源ユニット１８ｇＣ，１８ｇＬのうち所望の光源ユニットを選択して点灯させるための光源色切り替え部１６と、を含む。【選択図】図２
2008241977.tif 000002
【特許請求の範囲】
【請求項１】
プロジェクタであって、
所定の色の照明光を射出する複数の照明用光源であって、少なくともひとつの色の前記照明用光源は複数の光源ユニットを有する、照明用光源と、
前記複数の光源ユニットのうち所望の前記光源ユニットを選択して点灯させるための光源色切り替え部と、
を含むことを特徴とするプロジェクタ。
【請求項２】
請求項１に記載のプロジェクタにおいて、
前記複数の光源ユニットは、それぞれ独立して着脱可能に構成されていることを特徴とするプロジェクタ。
【請求項３】
請求項１又は請求項２に記載のプロジェクタにおいて、
表示する画像信号に画像調整を行う画像調整部と、
前記画像調整部を制御する制御部と、
を含むことを特徴とするプロジェクタ。
【請求項４】
請求項３に記載のプロジェクタにおいて、
前記制御部は、前記光源色切り替え部の選択によって、前記画像調整の内容を切り替えることを特徴とするプロジェクタ。
【請求項５】
請求項３に記載のプロジェクタにおいて、
前記光源ユニットは、それぞれの特有の情報を記憶する情報プロファイル部を有し、
前記制御部は、前記情報プロファイル部の情報によって、前記画像調整の内容を切り替えることを特徴とするプロジェクタ。
【請求項６】
請求項４又は請求項５に記載のプロジェクタにおいて、
前記画像調整は画像補正テーブルに基づいて行われ、
前記プロジェクタは、
複数の画像補正テーブルを記憶する記憶部と、
前記光源ユニットの切り替えに基づいて、前記記憶された複数の画像補正テーブルから、前記画像調整に使用する画像補正テーブルを選択する補正テーブル選択部を有することを特徴とするプロジェクタ。
【請求項７】
請求項４又は請求項５に記載のプロジェクタにおいて、
前記画像調整は画像補正テーブルに基づいて行われ、
前記プロジェクタは、
前記光源ユニットの切り替えに基づいて、前記画像調整に使用する画像補正テーブルを生成するためのテーブル演算部を有することを特徴とするプロジェクタ。
【発明の詳細な説明】
【技術分野】
【０００１】
本発明は、プロジェクタに関するものである。
【背景技術】
【０００２】
プレゼンテーションやビデオ鑑賞等に用いる、画像信号を光学信号に変換してスクリーン等に拡大投写する投写型画像表示装置に関して、ＬＥＤを光源としたプロジェクタが、ＬＥＤの狭波長性から非常に高彩度な表示が可能であるという点で注目されている。
【０００３】
高彩度な画像を表示するプロジェクタを実現するためには、図５の色度図（カラースペース）に示した人間の見える色の範囲を可能な限り大きく包含することの出来る主波長を持つＬＥＤを３色選択する。具体的な主波長として、４５０ｎｍ、５２０ｎｍ、６５０ｎｍを選択したとする。このときのプロジェクタの明るさについて、図６の視感効率と波長との関係をもとに考察してみる。放物線７０は、明所視における視感効率と波長との関係を表している。放物線７２は、暗所視における視感効率と波長との関係を表している。明所視における放物線７０が示すように、同じパワーの光であっても、５５５ｎｍを１とした場合の光の感じ方は、それより波長が高くても低くても視感効率は弱くなる傾向にあり、４００ｎｍ及び７００ｎｍに達した時点で略０になる。
【発明の開示】
【発明が解決しようとする課題】
【０００４】
従って、波長が４５０ｎｍ及び６５０ｎｍの光は、同じだけのパワーを投入したとき、人間が感じる明るさは、波長が５２０ｎｍの光に比べて相対的に非常に弱い＝暗いものになってしまう。又、逆に明るさ重視で波長を選ぶと、彩度は非常に狭いものになってしまう。更に、暗くして映画を楽しみたいケースと、昼間カーテンを開けてＴＶ等をプロジェクタで見たいケースとでは、最適な彩度及び輝度は異なり、これを１台のプロジェクタで簡単に実現できないことが課題であった。
【０００５】
本発明は、このような従来の問題点に着目してなされたもので、その目的は、視聴の状況に合わせた複数のタイプ、例えば、暗い場所で映画などを鑑賞するのに適した高彩度タイプ及び明るい場所でＴＶなどを視聴するのに適した高輝度タイプの両立を可能とするプロジェクタを提供することにある。
【課題を解決するための手段】
【０００６】
本発明に係るプロジェクタは、プロジェクタであって、所定の色の照明光を射出する複数の照明用光源であって、少なくともひとつの色の前記照明用光源は複数の光源ユニットを有する、照明用光源と、前記複数の光源ユニットのうち所望の前記光源ユニットを選択して点灯させるための光源色切り替え部と、を含む。
【０００７】
本発明によれば、使用する光源ユニットを切り替えることで、光源ユニットの特性に幅広く対応できる。これにより、例えば高彩度タイプ及び高輝度タイプの切り替えが可能となるプロジェクタを提供する。
【０００８】
このプロジェクタにおいて、前記複数の光源ユニットは、それぞれ独立して着脱可能に構成されてもよい。これによれば、光源ユニットの特性に幅広く対応できるプロジェクタの実現が容易になる。
【０００９】
このプロジェクタにおいて、表示する画像信号に画像調整を行う画像調整部と、前記画像調整部を制御する制御部と、を含んでもよい。これによれば、光源ユニットの切り替え時において自然な色再現が容易になる。
【００１０】
このプロジェクタにおいて、前記制御部は、前記光源色切り替え部の選択によって、前記画像調整の内容を切り替えてもよい。これによれば、光源ユニットの特性に幅広く対応できるプロジェクタの実現が容易になる。
【００１１】
このプロジェクタにおいて、前記光源ユニットは、それぞれの特有の情報を記憶する情報プロファイル部を有し、前記制御部は、前記情報プロファイル部の情報によって、前記画像調整の内容を切り替えてもよい。これによれば、光源ユニットの特性に幅広く対応できるプロジェクタの実現が容易になる。
【００１２】
このプロジェクタにおいて、前記画像調整は画像補正テーブルに基づいて行われ、前記プロジェクタは、複数の画像補正テーブルを記憶する記憶部と、前記光源ユニットの切り替えに基づいて、前記記憶された複数の画像補正テーブルから、前記画像調整に使用する画像補正テーブルを選択する補正テーブル選択部を有してもよい。これによれば、光源ユニットの特性に幅広く対応できるプロジェクタの実現が容易になる。
【００１３】
このプロジェクタにおいて、前記画像調整は画像補正テーブルに基づいて行われ、前記プロジェクタは、前記光源ユニットの切り替えに基づいて、前記画像調整に使用する画像補正テーブルを生成するためのテーブル演算部を有してもよい。これによれば、光源ユニットの特性に幅広く対応できるプロジェクタの実現が容易になる。
【発明を実施するための最良の形態】
【００１４】
以下、本発明の実施の形態について図面を参照して説明する。
（第１の実施の形態）
【００１５】
最初に、プロジェクタの外観について説明する。
【００１６】
図１は、第１の実施の形態に係るプロジェクタの外観を示す図である。本実施の形態に係るプロジェクタ２の本体１０は略箱型である。本体１０の正面側中央には、投写レンズ１２が設けられている。本体１０の上面には、プロジェクタ２の電源をオン／オフしたり、投写レンズ１２のズーミングを行ったり、画像タイミングの判別動作をしたりする操作部１４と、複数の光源ユニットのうち所望の光源ユニットを選択して点灯させる光源色切り替え部１６と、が設けられている。
【００１７】
光源色切り替え部１６は、プロジェクタ２を暗い場所で映画等を鑑賞するのに適する高彩度タイプ（図中のＣ側）と、プロジェクタ２を明るい場所でＴＶ等を視聴するのに適する高輝度タイプ（図中のＬ側）と、を切り替える。光源色切り替え部１６は、手動式レバーである。尚、ボタン操作によりモータ駆動等で切り替えてもよい。
【００１８】
図２は、第１の実施の形態に係るプロジェクタの構成を示す図である。本実施の形態に係るプロジェクタ２は、後述する液晶ライトバルブを３枚（３つ）備えて赤色光、緑色光、及び青色光を別個に光変調した後に合成して射出する３板式のプロジェクタであって、外部装置（ビデオデッキ及びＤＶＤプレーヤ等の再生装置やパーソナルコンピュータ）によって出力された画像信号に基づいて各種カラー画像をスクリーンに投写表示可能に構成されている。又、後述する波長及び輝度の特性が決まっている２種類の緑色の照射光を射出するＬＥＤユニットのいずれかを選び、これに最適な画像の調整を行う。
【００１９】
具体的には、プロジェクタ２は、所定の色の照明光を射出する複数の照明用光源１８ｒ，１８ｇ，１８ｂ（以下、区別しないときには「照明用光源１８」ともいう）と、光変調部２０ｒ，２０ｇ，２０ｂと、クロスダイクロイックプリズム２２と、を備えている。尚、プロジェクタ２は、実際には、音声信号処理部及びスピーカ等を備えているが、本発明についての理解を容易とするために、これらについての図示及び説明を省略する。
【００２０】
照明用光源１８ｇは、第１光源ユニットとしてのＬＥＤユニット１８ｇＣと、第２光源ユニットとしてのＬＥＤユニット１８ｇＬと、を備えている。ＬＥＤユニット１８ｇＣは、図示しない基板上に配設されて緑色光Ｌｇを射出する１個のＬＥＤ（発光ダイオード）を備えて構成されている。このＬＥＤは、高彩度タイプ用に使用されるＬＥＤである。例えば、光源色の波長は、５２０ｎｍである。又、ＬＥＤユニット１８ｇＬは、図示しない基板上に配設されて緑色光Ｌｇを射出する１個のＬＥＤを備えて構成されている。このＬＥＤは、高輝度タイプ用に使用されるＬＥＤである。例えば、光源色の波長は、５５０ｎｍである。
【００２１】
ＬＥＤユニット１８ｇＣ，１８ｇＬには、光源色切り替え部１６の選択により、電源供給接点よりどちらか一方へ電力が供給される。尚、ＬＥＤユニット１８ｇＣ，１８ｇＬに予め配線しておき、位置認識を行ってどちらか一方へ電力を供給してもよい。ＬＥＤユニット１８ｇＣ，１８ｇＬには、後述する光源駆動部より同等の電力供給が可能であるため、ＬＥＤユニット１８ｇＣを用いた場合は、高彩度タイプのプロジェクタ２を、ＬＥＤユニット１８ｇＬを用いた場合は、高輝度タイプのプロジェクタ２を実現することができる。ＬＥＤユニット１８ｇＣ，１８ｇＬは、プロジェクタ２側面部等より脱着が可能である。ＬＥＤユニット１８ｇＣ，１８ｇＬは、それぞれの特有の情報を記憶する情報プロファイル部５８を有している。
【００２２】
照明用光源１８ｒは、図示しない基板上に配設されて赤色光Ｌｒを射出する１個の照明用光源としてのＬＥＤを備えて構成されている。又、照明用光源１８ｂは、図示しない基板上に配設されて青色光Ｌｂを射出する１個の照明用光源としてのＬＥＤを備えて構成されている。尚、本実施の形態では、照明用光源１８をそれぞれ１個のＬＥＤで構成したが、複数のＬＥＤをマトリクス状に配設して構成されていてもよい。
【００２３】
光変調部２０ｇは、ＬＥＤユニット１８ｇＣ又はＬＥＤユニット１８ｇＬによって射出された緑色光Ｌｇを光変調するユニットであって、偏光変換素子としての偏光板２６及び液晶ライトバルブ２８ｇによって構成される。光変調部２０ｒは、照明用光源１８ｒによって射出された赤色光Ｌｒを光変調するユニットであって、偏光板２６及び液晶ライトバルブ２８ｒによって構成される。光変調部２０ｂは、照明用光源１８ｂによって射出された青色光Ｌｂを光変調するユニットであって、偏光板２６及び液晶ライトバルブ２８ｂによって構成される。
【００２４】
偏光板２６は、液晶ライトバルブ２８ｒ，２８ｇ，２８ｂ（以下、区別しないときには「液晶ライトバルブ２８」ともいう）と略等しい形状で、且つ略等しい大きさに形成される。この偏光板２６は、照明用光源１８と液晶ライトバルブ２８との間に配設されて、照明用光源１８によって射出された各色光Ｌｒ，Ｌｇ，Ｌｂ（以下、区別しないときには「色光Ｌ」ともいう）を直線偏光して液晶ライトバルブ２８に入射させる。
【００２５】
液晶ライトバルブ２８は、例えば透過型の光変調素子であって、画像調整部によって出力される画像信号ＤＳｒ，ＤＳｇ，ＤＳｂ（以下、区別しないときには「画像信号ＤＳ」ともいう）に基づいて色光Ｌをそれぞれ光変調する。液晶ライトバルブ２８は、画像信号ＤＳをＬＶ駆動信号に変換し、液晶が駆動されることにより、ライトバルブに画像を表示する。液晶ライトバルブ２８によって変調された３つの色光は、クロスダイクロイックプリズム２２に入射する。
【００２６】
クロスダイクロイックプリズム２２は、液晶ライトバルブ２８から射出された光を合成して投写レンズ１２に導く。クロスダイクロイックプリズム２２は、４つの直角プリズムを貼り合わせて形成され、その内面に赤色光Ｌｒを反射する誘電体多層膜と青色光Ｌｂを反射する誘電体多層膜とが十字状に配置されている。これらの誘電体多層膜によって３つの色光が合成され、カラー画像を表す光が形成される。
【００２７】
投写レンズ１２は、クロスダイクロイックプリズム２２によって射出された投写光Ｌｐを拡大してスクリーン３０に向けて投写する。投写レンズ１２は、空間像をスクリーン３０に拡大投写させる。
（第２の実施の形態）
【００２８】
図３は、第２の実施の形態に係るプロジェクタの機能ブロックを示す図である。本実施の形態に係るプロジェクタ２は、表示する画像信号に画像調整を行う画像調整部３２と、画像調整部３２を制御する制御部５０と、複数の画像補正テーブル６０を記憶する記憶部５２と、を備えている。
【００２９】
画像調整部３２は、画像補正テーブル６０に基づいて画像調整を行う。画像調整部３２は、制御部５０により制御される。画像調整部３２は、外部装置である画像信号供給装置１００から供給される画像信号ＶＳに所定の信号処理を施す画像コンバータ３４と、画像コンバータ３４から供給される入力画像信号ＤＳにゲイン調整を施すゲイン調整部３６と、画像信号ＤＳにオフセット調整を施すオフセット調整部３８と、画像信号ＤＳにガンマ補正を施すガンマ補正部４０と、画像信号ＤＳに色温度調整を施す色温度調整部４２と、画像信号ＤＳに３Ｄ−ＬＵＴ（ルックアップテーブル）調整を施す３Ｄ−ＬＵＴ調整部４４と、画像信号ＤＳに色むら補正処理を施す色むら補正部４６と、各種調整や補正が施された画像信号ＤＳに基づき、液晶ライトバルブ２８を駆動する画像データ駆動部４８と、を備えている。
【００３０】
画像コンバータ３４は、入力画像信号ＶＳを液晶ライトバルブ２８に入力可能な画像信号ＤＳに変換して出力するものである。この画像信号ＤＳには、タイミング信号として垂直同期信号、水平同期信号、及びクロック信号が含まれている。又、画像信号ＤＳとして出力される画像データとしては、１画素当り２４ビットの画像データが画素毎に連続して出力される。尚、１画素の画像データは、Ｒ、Ｇ、Ｂの色毎に８ビットの色データで構成されている。画像コンバータ３４は、ＲＧＢの画像データを８ｂｉｔから１０ｂｉｔに変換し、画像の諧調性を高める処理を行う８ｂｉｔ／１０ｂｉｔ変換と、ＲＧＢの画像データから画像伸張処理のしやすいＹｕｖ（輝度＋色差）の画像データへ変換するＹｕｖ変換と、Ｙｕｖの画像データをより綺麗にメリハリをつけるための画像伸張処理として、白黒伸張、彩度伸張、及びシャープネス処理と、再びＲＧＢの画像データに戻し、色毎の補正をしやすくするＲＧＢ変換と、を行う。以下の説明では、画像信号ＤＳに含まれる画像データを、説明の便宜上「画像データＤＳ」と呼ぶ場合があり、又、タイミング信号を除く画像信号のみを「画像信号ＤＳ」と呼ぶ場合もある。
【００３１】
ゲイン調整部３６は、画像データＤＳに対する光の出力特性が所望の特性に変化するように、画像データＤＳを調整する。スクリーン３０上に表示される投写画像の明るい部分をよりハッキリ見えるように調整する。
【００３２】
オフセット調整部３８は、画像データＤＳに対する光の出力特性が所望の特性に変化するように、画像データＤＳを調整する。スクリーン３０上に表示される投写画像の暗い部分をよりハッキリ見えるように調整する。
【００３３】
ガンマ補正部４０は、画像データＤＳに対する光の出力特性が所望の特性に変化するように、画像データＤＳを補正する。スクリーン３０上に表示される投写画像をなめらかな或いはメリハリのある画像に見えるように補正する。
【００３４】
色温度調整部４２は、画像データＤＳに対する光の出力特性が所望の特性に変化するように、画像データＤＳを補正する。スクリーン３０上に表示される投写画像の色合いを、青みがかった画像或いは赤みかかった画像に見えるように調整する。色温度調整は、光源色の出力を変えることと組み合わせて行われる。
【００３５】
３Ｄ−ＬＵＴ調整部４４は、画像データＤＳに対する光の出力特性が所望の特性に変化するように、画像データＤＳを補正する。３Ｄ−ＬＵＴ調整部４４は、入力されたＲＧＢの画像データを、「店頭でよりＶｉｖｉｄに見えるように」、「家の明るいリビングでの視聴に合ったように」、「暗室で映画を見る際に諧調性を重視して」などの目的に合わせて、補正して出力する。
【００３６】
色むら補正部４６は、画像データＤＳに対する光の出力特性が所望の特性に変化するように、画像データＤＳを補正する。スクリーン３０上に表示される投写画像に発生する色むらを抑制するように、画像データＤＳを補正する。本実施の形態では、画像データＤＳに補正データを加減算することにより、色むらの補正を行う。
【００３７】
ここで、上記の各種調整や補正は、画像補正テーブル６０に基づいて行われる。具体的には、画像補正テーブル６０は各種調整や補正における、入力値に対する出力値を含んでいる。
【００３８】
画像データ駆動部４８は、各種調整や補正が施された画像信号ＤＳに基づき、液晶ライトバルブ２８を駆動する。液晶ライトバルブ２８は、照明用光源１８から射出される照明光に対して画像信号ＤＳに基づき光変調を施す。変調後の光（画像光）は、ズーム機能付き投写レンズ１２によって、スクリーン３０上に投写表示される。
【００３９】
尚、図示は省略してあるが、本実施の形態の液晶ライトバルブ２８は３色（Ｒ、Ｇ、Ｂ）それぞれの色信号に変調を施す３枚のライトバルブを備えており、画像調整部３２は、３色分の画像信号ＤＳを処理する機能を備えている。
【００４０】
制御部５０は、光源色切り替え部１６の選択によって、画像調整の内容を切り替える。制御部５０は、情報プロファイル部５８の情報によって、画像調整の内容を切り替える。制御部５０は、画像調整部３２を制御する。制御部５０は、ＣＰＵ等から構成されている。
【００４１】
制御部５０は、テーブル演算部５４と、補正テーブル選択部６４と、を備えている。テーブル演算部５４は、ＬＥＤユニット１８ｇＣ，１８ｇＬの切り替えに基づいて、画像調整に使用する画像補正テーブル６０を生成する。補正テーブル選択部６４は、ＬＥＤユニット１８ｇＣ，１８ｇＬの切り替えに基づいて、記憶部５２に記憶された複数の画像補正テーブル６０から、画像調整に使用する画像補正テーブル６０を選択する。
【００４２】
記憶部５２は、複数の画像補正テーブル６０を記憶する。記憶部５２には、ＥＰＲＯＭ、ＥＥＰＲＯＭ、ＦＲＯＭ等の様々な不揮発性メモリが用いられる。
【００４３】
ここで、ＬＥＤユニット１８ｇＣ，１８ｇＬが有する情報としての情報プロファイル部５８について説明する。ＬＥＤユニット１８ｇＣ，１８ｇＬは、それぞれ内部にメモリを備えており、そのメモリに情報プロファイル部５８が書かれている。情報プロファイル部５８としては、固体のシリアル番号、光源の色度、光源の色度、光源の輝度、輝度／電流特性、輝度／温度データ、使用温度範囲、輝度／劣化度特性、照明用光源の実装位置ずれ情報、光源部分のムラ情報、及びＬＵＴ生成用パラメータ等がある。
【００４４】
固体のシリアル番号は、以前に同一の光源ユニットを使用した場合はそのデータをプロジェクタ内部より引用できる。
【００４５】
光源の色度は、上記に記述した色温度調整のほか、光源にあった３Ｄ−ＬＵＴを生成する基礎データとして用いる。
【００４６】
光源の輝度と、輝度／電流特性とは、光源の色度と同じく、光源にあった３Ｄ−ＬＵＴを生成する基礎データとして用いる。
【００４７】
輝度／温度データと、使用温度範囲とは、光源ユニットをそれぞれの特性に応じた温度で冷却するために用いる。光源ユニットの温度計測を行い、輝度が低下しないよう、温度もしくは電流を制御するために用いる。
【００４８】
輝度／劣化度特性は、劣化状況に応じて光源ユニットの輝度が低下するため、輝度の劣化特性を情報として書き込んでおく。劣化度は駆動電力と時間等で決まる（例えば、駆動平均電力×時間）。
【００４９】
照明用光源の実装位置ずれ情報と、光源部分のムラ情報とは、照明のムラを補正するために、光源ユニットの中心位置に対するずれや、面発光ＬＥＤの発光輝度分布などを書き込んでおいてもよい。
【００５０】
ＬＵＴ生成用パラメータは、色度によって人の見えに関し、注意することが異なる場合があるため、同じ目的で作られるＬＵＴにおいてもＬＵＴ生成に関し細かな修正を行えるよう光源に応じたＬＵＴ生成用パラメータを準備してもよい。又、ＬＥＤユニット１８ｇＣ，１８ｇＬに更新記憶される情報としては、光源劣化度がある。光源劣化度は、劣化度に応じた輝度や色度の補正を行ったり、光源の交換に関する警告を行ったりしてもよい。尚、予めプロジェクタ内部に情報のないＬＥＤユニットであってもよい。
【００５１】
ここで、制御部５０における画像補正テーブル６０の変更について説明する。制御部５０は、表示する画像信号に画像調整を行う画像調整部３２を制御する。画像調整部３２は、記憶部５２に記憶する画像補正テーブル６０に基づいて画像調整を行う。
【００５２】
画像補正テーブル６０は、画像調整部３２で画像調整を行うための固体番号、輝度−電流特性、輝度−補正用データ、及び輝度−時間補正データ等を含む。尚、単純に緑色の光源色の違いのみについて補正をかける場合は、緑色の色の違いのみを（バーコードやメモリ情報などにより）識別できればよい。
【００５３】
画像補正テーブル６０は、ＬＥＤユニット１８ｇＣ，１８ｇＬによって最適値が異なるため、記憶部５２上にＬＥＤユニット１８ｇＣ，１８ｇＬに対応した画像補正テーブル６０を用意或いは生成して、光源色切り替え部１６の選択で画像補正テーブル６０を切り替える。
【００５４】
制御部５０は、光源色切り替え部１６の選択によって、画像調整部３２で行われる画像調整の内容を切り替える。制御部５０の補正テーブル選択部６４は、光源色切り替え部１６の選択によるＬＥＤユニット１８ｇＣ，１８ｇＬの切り替えに基づいて、記憶部５２に記憶された複数の画像補正テーブル６０から、画像調整部３２が画像調整に使用する画像補正テーブル６０を選択する。或いは、制御部５０は、光源色切り替え部１６の選択によるＬＥＤユニット１８ｇＣ，１８ｇＬの切り替えに基づいて、ＬＥＤユニット１８ｇＣ，１８ｇＬが、それぞれの特有の情報を記憶する情報プロファイル部５８の情報によって、画像調整部３２で行われる画像調整の内容を切り替えてもよい。
【００５５】
その際、画像補正テーブル６０の切り替えは、制御部５０の補正テーブル選択部６４により、光源色切り替え部１６の選択によるＬＥＤユニット１８ｇＣ，１８ｇＬの切り替えに基づいて、記憶部５２に記憶された複数の画像補正テーブル６０から、画像調整部３２が画像調整に使用する画像補正テーブル６０が選択される。或いは、制御部５０のテーブル演算部５４により、光源色切り替え部１６の選択によるＬＥＤユニット１８ｇＣ，１８ｇＬの切り替えに基づいて、画像調整部３２が画像調整に使用する画像補正テーブル６０を生成してもよい。
【００５６】
制御部５０は、画像調整部３２で行った画像調整結果を光源駆動制御信号として光源駆動部５６へ送ることにより、表示する画像の画像調整を制御する。光源駆動部５６は、駆動電流、駆動電圧、及び駆動時間によって光源の輝度を自在に変えられる回路である。尚、ＬＥＤユニットは、緑色のみの取り替え以外に、ＲＧＢ一体でもよいし、ＲＧＢが別々に取り替えられるようになっていてもよい。
【００５７】
図４は、第２の実施の形態に係る光源色切り替え部の選択に伴う色度図における色度（彩度）変化を示す図である。色度図では、三角形領域の中心に比較して、外側が高彩度になるという特性がある。三角形領域が小さくなった場合は、相対的に彩度の低い色での表示になる。
【００５８】
本実施の形態の彩度変化は、緑色の照明光を射出するＬＥＤユニット１８ｇＣ，１８ｇＬを切り替えた場合の彩度変化を示す。
【００５９】
実線６６の三角形領域は、高彩度タイプの緑色の照明光を射出するＬＥＤユニット１８ｇＣを選んだ場合である。破線６８の三角形領域は、高輝度タイプの緑色の照明光を射出するＬＥＤユニット１８ｇＬを選んだ場合である。
【００６０】
ＬＥＤユニット１８ｇＣの光源色の波長は、５２０ｎｍであり、ＬＥＤユニット１８ｇＬの光源色の波長は、５５０ｎｍであることから、相対的にＬＥＤユニット１８ｇＣは彩度が広く、ＬＥＤユニット１８ｇＬは彩度が狭くなる。又、図６で説明したように、視覚効率と波長との関係からＬＥＤユニット１８ｇＬの方がＬＥＤユニット１８ｇＬと比べて２割ほど暗くなる。尚、ＬＥＤユニット１８ｇＬを使用した場合、赤色、青色は単色では暗くなりすぎて緑色とのバランスがとれないため、他の色を足して明るくする（Ｂ→Ｂ´，Ｒ→Ｒ´）。
【００６１】
尚、光変調装置としては透過型液晶表示装置を用いる場合に限らず反射型液晶表示装置（Liquid Crystal On Silicon、ＬＣＯＳ）、ＤＭＤ（Digital Micro mirror Device）、ＧＬＶ（Grating Light Valve）等を用いてもよい。
【００６２】
本実施の形態によれば、１．高彩度／高輝度を両立したプロジェクタを実現できる。２．その際に自然な画像表示が可能である。３．ＬＥＤの彩度や発光輝度効率の進化に伴ってプロジェクタの性能も進化（より高輝度化、高彩度化）させることが可能である。４．色むらや輝度むらの低減、輝度の安定したプロジェクタを実現できる。５．色ずれしないプロジェクタを実現できる。
【図面の簡単な説明】
【００６３】
【図１】第１の実施の形態に係るプロジェクタの外観を示す図である。
【図２】第１の実施の形態に係るプロジェクタの構成を示す図である。
【図３】第２の実施の形態に係るプロジェクタの機能ブロックを示す図である。
【図４】第２の実施の形態に係る光源色切り替え部の選択に伴う色度図における色度（彩度）変化を示す図である。
【図５】波長と可視光領域の関係を示す図である。
【図６】波長と視感効率の関係を示す図である。
【符号の説明】
【００６４】
２…プロジェクタ  １０…本体  １２…投写レンズ  １４…操作部  １６…光源色切り替え部  １８ｇＣ…ＬＥＤユニット（第１光源ユニット）  １８ｇＬ…ＬＥＤユニット（第２光源ユニット）  １８ｒ，１８ｇ，１８ｂ…照明用光源  ２０ｒ，２０ｇ，２０ｂ…光変調部  ２２…クロスダイクロイックプリズム  ２６…偏光板  ２８ｒ，２８ｇ，２８ｂ…液晶ライトバルブ  ３０…スクリーン  ３２…画像調整部  ３４…画像コンバータ  ３６…ゲイン調整部  ３８…オフセット調整部  ４０…ガンマ補正部  ４２…色温度調整部  ４４…３Ｄ−ＬＵＴ調整部  ４６…色むら補正部  ４８…画像データ駆動部  ５０…制御部  ５２…記憶部  ５４…テーブル演算部  ５６…光源駆動部  ５８…情報プロファイル部  ６０…画像補正テーブル  ６４…補正テーブル選択部  ６６…実線  ６８…破線  ７０，７２…放物線  １００…画像信号供給装置。
【図１】
2008241977.tif 000003
【図２】
2008241977.tif 000004
【図３】
2008241977.tif 000005
【図４】
2008241977.tif 000006
【図５】
2008241977.tif 000007
【図６】
2008241977.tif 000008